(57)【要約】【課題】  本発明の清掃具は、不要な構造の部品等を使用することなく構成され、持ち運びやすく、廃棄物、汚物等を挟む、すくう、収容する機能を一体的に備え、大規模な清掃活動をはじめ、様々な生活環境の保全に関する清掃をする際、手軽に効率よく使用できる清掃具を提供する。【解決手段】  本発明の清掃具は、一対のフレーム１がＶ字型に形成され、フレーム１の先方に角度の調節できる挟み部２を設け、フレーム１の後方をフレーム１の支点となる接続部３とし、フレーム１の内側には、廃棄物、汚物等を収容する収納部６を、挟み部２の角度を調節することにより収納部６の開口部１０が開閉自在になる状態で設け、フレーム１の収納部６と接続部３の間にはフレーム１を開閉操作するための操作部１１を設け、接続部３と操作部１１の間には、持ち手１３を着脱可能な状態で設けたものである。【選択図】図１
2013121476.tif 000002
【特許請求の範囲】
【請求項１】
本発明の清掃具は、一対のフレーム１がＶ字型に形成され、フレーム１の先方に角度の調節できる挟み部２を設け、フレーム１の後方をフレーム１の支点となる接続部３とし、フレーム１の内側には、廃棄物、汚物等を収容する収納部６を、挟み部２の角度を調節することにより収納部６の開口部１０が開閉自在になる状態で設け、フレーム１の収納部６と接続部３の間には、フレーム１を開閉操作するための操作部１１を設けた廃棄物、汚物等を回収する清掃具。
【請求項２】
一対のフレーム１の接続部３と操作部１１の間には、清掃具を持ち運ぶための持ち手１３を着脱可能な状態で設けた請求項１の廃棄物、汚物等を回収する清掃具。
【発明の詳細な説明】
【技術分野】
【０００１】  本発明は、廃棄物、犬の糞等の汚物を回収する清掃具に関するものである。
【背景技術】
【０００２】  従来、廃棄物等を回収する清掃具は、作業用手袋、清掃用火ばさみ等がある。【０００３】  また、犬の糞等の汚物を回収する清掃具は、スコップの形状をした糞取袋や鋏の形状をした糞取具等がある。
【発明の概要】
【発明が解決しようとする課題】
【０００４】  従来の清掃具は、次のような欠点があった。
地域の清掃活動をする際に使用される作業用手袋は、手で廃棄物等を掴むため手や衣類が汚れやすい。清掃用火ばさみ等は、重く、子供等では扱いにくく、持ち運びも不便である。また、清掃時に犬の糞等の汚物を発見した場合、回収した廃棄物と一緒に処理することが困難であるため、放置するか個別に回収する清掃具を用意する必要がある。【０００５】  そして、従来、犬の糞等の汚物を回収する糞取袋、又は糞取具は、犬の糞等の状況に応じ、挟む、すくう両方の機能が使えない。また、犬の糞等の汚物のみを専用に収容する形態であるため、汚物の不衛生なイメージがあることや収容後の処理が面倒なことから敬遠される傾向がある。
本発明は、以上のような欠点をなくすために発明されたものである。
【課題を解決するための手段】
【０００６】  本発明の清掃具は、一対のフレーム１がＶ字型に形成され、フレーム１の先方に角度の調節できる挟み部２を設け、フレーム１の後方をフレーム１の支点となる接続部３とし、フレーム１の内側には、廃棄物、汚物等を収容する収納部６を、挟み部２の角度を調節することにより収納郊６の開口部１０が開閉自在になる状態で設け、フレーム１の収納部６と接続部３の間には、フレーム１を開閉操作するための操作部１１を設け、接続部３と操作部１１の間には、清掃具を持ち運ぶための持ち手１３を着脱可能な状態で設けたものである。
以上の構成よりなる清掃具。
【発明の効果】
【０００７】  本発明の清掃具の構造により、不要な構造の部品等を使用することなく簡単に組み立てられ、コストを低く抑え経済的で、挟む、すくう、収容する機能を一体的に備えた清掃具であり、廃棄物、汚物等の回収作業がスムーズにできる。また、本発明の清掃具は、持ち運びやすく大量に準備することができ、回収作業後、使えなくなった清掃具は回収した廃棄物と一緒に処分できることから、大規模な清掃活動や各種イベント後の清掃具として手軽に効率よく清掃活動が実施できる。【０００８】  そして、本発明の清掃具は、犬の糞等の汚物を収容する機能も備えており、汚物の収容から下水処理までスムーズに行えるため、家庭動物の所有者が屋外で運動させる際に家庭動物の糞を回収する清掃具としで使えるとともに、放置された廃棄物等を回収することで環境保全の一環として清掃具を携帯することができる。従って、様々な状況に応じた清掃用具として地域の清掃活動等をはじめ、生活環境の保全に関する取組みに貢献するものである。
【図面の簡単な説明】
【０００９】
【図１】  本発明の斜視図である。
【図２】  本発明の使用状態を示した側面図である。
【図３】  本発明の収納部が閉鎖された状態を示した斜視図である。
【図４】  本発明の持ち手の平面図である。
【図５】  本発明の持ち手の使用状態を示した斜視図である。
【図６】  本発明の清掃具を展開した状態を示した展面図である。
【発明を実施するための最良の形態】
【００１０】  以下、本発明を実施するための最良の形態について図面を参照しながら説明する。
図１に示すのは、本発明の斜視図である。一対のフレーム１が接続部３を支点に開閉するように形成され、フレーム１の先方の挟み部２は、廃棄物等を挟むことのできる角度で固定され、フレーム１の内側の収納部６の開口部１０が開いた状態である。そして、フレーム１を開閉操作するための操作部１１は、内側に設けられた固定型１２を対面の操作部１１の空間に押し入れロックされており、操作部１１の空間に指を挿入して開閉操作することでフレーム１の先方の挟み部２が開閉動し、廃棄物等を挟むことができる。
なお、挟み部２の先端は、凸凹状に限定しない。【００１１】  図２に示すのは、本発明の使用状態を示した側面図である。一対のフレーム１に設けられた操作部１１に指を挿入し、指を広げてフレーム１を開けた状態にして片方の挟み部２を地面と水平に保ちながら前に押し出すことで、汚物２０をすくうことができる。【００１２】  図３に示すのは、本発明の収納部が閉鎖された状態を示した斜視図である。汚物等を収納部６へ収容した後、挟み部２に設けられた突起部４を開口部１０に一番近い角度調節用の溝５に差し込み固定することで開口部１０が閉じた状態になり、収納部６が閉鎖され、収容した汚物等を持ち運ぶことができる。【００１３】  図４に示すのは、本発明の持ち手の平面図である。また、図５に示すのは、本発明の持ち手の使用状態を示した斜視図である。持ち手１３の先方は細く形成され、その後方には溝１４が設けられている。その先方をフレーム１に設けられた持ち手を通す溝１８に隙間なく通してから、持ち手１３の後方に設けられた溝１４に通すことで、持ち手１３が繋がり連結した状態になり、持ち手１３を手に持ち清掃具を持ち運ぶことができる。また、持ち手を通す溝１８に持ち手１３を隙間なく通すことで、フレーム１を操作した時の捩れ作用を軽減することができる。【００１４】  図６は、本発明の清掃具を展開した状態を示した展面図である。清掃具を展開した状態から、組み立てる場合の手順について説明する。【００１５】  接続部の折り目１５に沿ってＶ字型に折る。次にフレーム１の中央の折り目１６に沿って山折りにする。また、接続部３に設けられた両端の切り込みと中央菱形の溝は、接続部の折り目１５と中央の折り目１６を明確にしている。【００１６】  収納部両端に設けられた切れ込み７同士を係合し、蓋部８を収納部６の内側に折り、蓋部８に設けられた折り代９を収納部６に対して外側に折り曲げることで収納部６が形成される。また、折り代９は、収納部６に対して内側に折り込んでも良い。【００１７】  挟み部の折り目１７に沿って内側に折り、挟み部２の先端の両端を指で挟み、挟み部２を反らした状態にして、突起部４を角度調節用の溝５に差し込み、挟み部２から指を離すと突起部４がロックされた状態になり、挟み部２が固定される。また、角度調節用の溝５の数は、多く設けると選択できる角度が増える利点がある。【００１８】  フレーム１の左側面の操作部１１の内側に設けられた固定型１２を、対面のもう片方の右側面の操作部１１の空間に押し入れ、固定型１２が右側面の操作部１１にロックされることで左側面の操作部１１と対面の右側面の操作部１１との間隔が、一定の距離で固定され、指を挿入するための操作部１１の空間が保持される。また、固定型１２はフレーム１の左側面、右側面のどちらに設けても良い。【００１９】  そして、犬の糞を収容する場合の実施例として、収納部６にトイレットペーパー等の水溶性の紙を敷き詰め、犬の糞を挟み部２で挟み上げる、又はすくい上げて開口部１０から犬の糞を収納部６へ取り込んだ後、挟み部２に設けられた突起部４を開口部１０に一番近い角度調節用の溝５に差し込み固定し、収納部６を閉鎖状態にして持ち運び、犬の糞を処理するときは、挟み部２の突起部４を角度調節用の溝５から外し、収納部６の開口部１０が開く状態にして、汚物を水溶性の紙と一緒に下水に流して処理する。また、収納部６に敷き詰めた水溶性の紙の一部を、挟み部２に設けられたＶ字型の切り取り線１９を押し切って成る三角溝に押し入れ固定し、開口部１０に水溶性の紙が塞がらないようにしてから犬の糞を収容しても良い。【００２０】  本発明の清掃具は、厚紙等の素材で構成されるのが好ましいが、使用される用途により耐水性等を求められる場合は、厚紙に防水加工を施す、又はプラスチック等適宜素材にて構成しても良い。また、仕組みが同じであれば各部品の形状、デザインは多様な対応が可能である。
【符号の説明】
【００２１】１  フレーム
２  挟み部
３  接続部
４  突起部
５  角度調節用の溝
６  収納部
７  収納部両端に設けられた切れ込み
８  蓋部
９  折り代
１０  開口部
１１  操作部
１２  固定型
１３  持ち手
１４  溝
１５  接続部の折り目
１６  中央の折り目
１７  挟み部の折り目
１８  持ち手を通す溝
１９  Ｖ字型の切り取り線
２０  汚物
【図１】
2013121476.tif 000003
【図２】
2013121476.tif 000004
【図３】
2013121476.tif 000005
【図４】
2013121476.tif 000006
【図５】
2013121476.tif 000007
【図６】
2013121476.tif 000008